(57)【要約】【課題】キー操作を伴うことなく、通話内容に好適な効果音を通話先の端末に自動的に送信できるようにすること。【解決手段】通信端末１は、音声認識部４、効果音情報取得部６及び音声コーデック部１０を備える。音声認識部４は、予め登録されたキーワードを通話音声から抽出する。効果音情報取得部６は、音声認識部４により抽出される複数のキーワードに基づいて、キーワードの登場回数と組合せとに応じた効果音を取得する。音声コーデック部１０は、効果音情報取得部６により取得される効果音を通話音声に合成する。【選択図】図１
2008263378.tif 000002
【特許請求の範囲】
【請求項１】
予め登録されたキーワードを通話音声から抽出するキーワード抽出手段と、
前記キーワード抽出手段により抽出される複数のキーワードに基づいて、キーワードの登場回数と組合せとに応じた効果音を取得する効果音取得手段と、
前記効果音取得手段により取得される効果音を通話音声に合成する効果音合成手段と
を備える、ことを特徴とする通信端末。
【請求項２】
前記効果音取得手段は、所定の第１の時間内におけるキーワードの登場回数と組合せとに応じた効果音を取得する、ことを特徴とする請求項１に記載の通信端末。
【請求項３】
前記効果音取得手段は、前記第１の時間内におけるキーワードの登場回数と組合せとに関連付けられた複数の効果音を含む効果音テーブルを用いて効果音を取得する、ことを特徴とする請求項１又は２に記載の通信端末。
【請求項４】
前記効果音取得手段は、効果音毎に予め設定された所定キーワードの何れかが前記キーワード抽出手段により通話音声から抽出されると、所定の第２の時間内においては、この取得した所定キーワードの設定されている効果音を取得しない、ことを特徴とする請求項１〜３の何れか一項に記載の通信端末。
【発明の詳細な説明】
【技術分野】
【０００１】
本発明は、通信端末に関する。
【背景技術】
【０００２】
近時、通話音声とともに背景音を相手側に送信可能な通信端末が開発されている。特許文献１の携帯用端末機は、通話中にユーザ所望の効果音を通話音声とともに通信相手に送信するためのキーボタンを備える。通話中にこのキーボタンが押下されると、通話音声とともに通話相手に効果音が送信される。
【特許文献１】特開２００４−３１２６６２号公報
【発明の開示】
【発明が解決しようとする課題】
【０００３】
しかし、ユーザ所望の効果音に対応するキーボタンをユーザが通話中に的確に選択し、操作するのは困難である。そこで本発明の目的は、キー操作を伴うことなく、通話内容に好適な効果音を通話先の端末に自動的に送信できるようにすることである。
【課題を解決するための手段】
【０００４】
本発明は、予め登録されたキーワードを通話音声から抽出するキーワード抽出手段と、前記キーワード抽出手段により抽出される複数のキーワードに基づいて、キーワードの登場回数と組合せとに応じた効果音を取得する効果音取得手段と、前記効果音取得手段により取得される効果音を通話音声に合成する効果音合成手段とを備える、ことを特徴とする。本発明によれば、ユーザがキー操作を行うことなく、通話音声から抽出されるキーワードに応じて効果音が再生される。また、再生される効果音は、キーワードの登場回数と組合せとに応じて効果音取得手段により取得されるので、通話内容が比較的正確に反映された効果音の再生が可能となる。
【０００５】
更に、前記効果音取得手段は、所定の第１の時間内におけるキーワードの登場回数と組合せとに応じた効果音を取得するのが好ましい。このように、第１の時間内におけるキーワードの登場回数と組合せとに応じた効果音が取得される。従って、一定時間内における通話内容に基づいた効果音が取得されるので、その時間内に主に話題となった内容に好適な効果音が再生される。
【０００６】
更に、前記効果音取得手段は、前記第１の時間内におけるキーワードの登場回数と組合せとに関連付けられた複数の効果音を含む効果音テーブルを用いて効果音を取得するのが好ましい。このように、第１の時間内におけるキーワードの登場回数と組合せとに関連付けられた複数の効果音を含む効果音テーブルを用いて効果音が取得されるので、効果音の取得が容易となる。また、効果音テーブルの内容を変更することにより、ユーザの趣向がより反映された効果音テーブルを利用できる。
【０００７】
更に、前記効果音取得手段は、効果音毎に予め設定された所定キーワードの何れかが前記キーワード抽出手段により通話音声から抽出されると、所定の第２の時間内に、この取得した所定キーワードの設定されている効果音を取得しないのが好ましい。このように、効果音毎に予め設定された所定キーワードの何れかが抽出されると、所定の第２の時間内においては、この取得した所定キーワードの設定されている効果音は取得されないので、所定キーワードを含むか否かを判断することにより効果音の絞り込みが可能となる。
【発明の効果】
【０００８】
本発明によれば、キー操作を伴うことなく、通話内容に好適な効果音を通話先の端末に自動的に送信できる。
【発明を実施するための最良の形態】
【０００９】
以下、図面を参照して、本発明に係る好適な実施形態について詳細に説明する。なお、図面の説明において、可能な場合には、同一要素には同一符号を付し、重複する説明を省略する。図１は、実施形態に係る通信端末１の構成を示す図である。通信端末１は、図示しないＣＰＵ、ＲＯＭ及びＲＡＭを有しており、ＲＯＭ内に格納された各種プログラムをＣＰＵに実行させることにより、通信端末１を統括的に制御する。また、通信端末１は、携帯電話等であり、マイク２、プリアンプ部３、メモリ部５や、通話を行うための通信装置（従来の携帯電話等が有する通信装置であり、従って図示を省略する。）を備える。
【００１０】
マイク２は、入力される通話音声をデジタル信号（以下、通話音声信号という。）に変換してプリアンプ部３に出力する。プリアンプ部３は、マイク２から入力される通話音声信号を増幅して音声認識部４及び音声コーデック部１０に出力する。メモリ部５は、読み出し／書き込みが自在な記憶装置であり、図２に示すキーワードテーブルＬ１や図３に示す効果音テーブルＬ２を格納する。なお、マイク２から出力される通話音声信号が、プリアンプ部３を介さずに、マイク２から音声認識部４及び音声コーデック部１０に直接入力される構成であってもよい。
【００１１】
また、通信端末１は、音声認識部４（キーワード抽出手段）、効果音情報取得部６（効果音取得手段）、音源８及び音声コーデック部１０（効果音合成手段）を備え、音声認識部４、効果音情報取得部６及び音声コーデック部１０は、通信端末１のＣＰＵがコンピュータソフトウェアを実行し、通信端末１の物理的な構成部を動作させることによって実現される機能である。音声認識部４は、通信端末１のメモリ部５に予め格納されたキーワードテーブルＬ１（図２を参照）に登録されているキーワードを、マイク２から入力される通話音声信号から抽出する。
【００１２】
ここで、図２を参照して、キーワードテーブルＬ１の内容を説明する。キーワードテーブルＬ１には、複数のキーワードＬ１４が登録されており、各キーワードＬ１４が、キーワードを識別するためのキーワード番号Ｌ１２と、キーワードが発音された時の音声の特徴（デジタル情報）を表す音声特徴情報Ｌ１３とに関連付けられている。
【００１３】
音声認識部４は、マイク２からプリアンプ部３を介して入力される通話音声信号にキーワードテーブルＬ１に含まれている音声特徴情報Ｌ１３と一致する信号部分が含まれているか否かを判定し、音声特徴情報Ｌ１３と一致する信号部分が含まれている場合には、この音声特徴情報Ｌ１３に対応するキーワード番号Ｌ１２を効果音情報取得部６に出力する。音声認識部４は、このようにして通話音声からキーワードを順次抽出する。なお、キーワードテーブルＬ１は、ユーザによって更新可能な情報である。
【００１４】
図１に戻って説明する。効果音情報取得部６は、音声認識部４により抽出される複数のキーワードに基づいて、キーワードの登場回数と組合せとに応じた効果音を取得する。具体的には、効果音情報取得部６は、音声認識部４により抽出される複数のキーワード（音声認識部４から出力される複数のキーワード番号Ｌ１２）に基づいて、効果音を表す効果音ファイルを図３に示す効果音テーブルＬ２から取得する。この効果音テーブルＬ２は、効果音ファイルと、キーワードの登場回数及び組合せとを関連付ける情報であり、キーワードテーブルＬ１と同様に通信端末１のメモリ部５に格納されている。
【００１５】
ここで、図３を参照して、効果音テーブルＬ２の内容を説明する。効果音テーブルＬ２は、複数の効果音情報Ｌ２１を含み、効果音情報Ｌ２１は、効果音情報番号Ｌ２２、組合せａｎｄ条件Ｌ２３、登場回数Ｌ２４、否定語Ｌ２５、タイマＬ２６及び音源Ｌ２７を含む。効果音情報番号Ｌ２２には、効果音を識別するための識別番号が設定されている。組合せａｎｄ条件Ｌ２３は、ｎ個（ｎは自然数）の項目「項目１」〜「項目ｎ」を有しており、各項目には、一又は複数のキーワード番号Ｌ１２が設定されている。一の項目に複数のキーワード番号Ｌ１２が設定されている場合、この項目のキーワードは、設定されている複数のキーワード番号Ｌ１２の何れかであることを意味する。登場回数Ｌ２４には、通話音声におけるキーワードの登場回数が設定されている。この登場回数は、組合せａｎｄ条件Ｌ２３の項目「項目１」〜「項目ｎ」にそれぞれ設定されている全てのキーワード番号Ｌ１２の登場回数である。否定語Ｌ２５には、一又は複数のキーワード番号Ｌ１２が設定されている。否定語Ｌ２５に複数のキーワード番号Ｌ１２が設定されている場合、この否定語Ｌ２５は、設定されている複数のキーワード番号Ｌ１２の何れかであることを意味する。タイマＬ２６には、タイマの時間（第１の時間）が設定されている。このタイマは、組合せａｎｄ条件Ｌ２３の「項目１」〜「項目ｎ」のそれぞれに後述の「ＯＮ」フラグが設定される度にセットされる。音源Ｌ２７には、音源８に格納されている効果音ファイルのファイル名が設定されている。
【００１６】
よって、タイマＬ２６に設定されている時間（第１の時間）内に、組合せａｎｄ条件Ｌ２３の項目「項目１」〜「項目ｎ」にそれぞれ設定されているキーワード番号Ｌ１２が全て通話音声に含まれており、組合せａｎｄ条件Ｌ２３の項目「項目１」〜「項目ｎ」にそれぞれ設定されているキーワード番号Ｌ１２の全てが、登場回数Ｌ２４に設定された回数ずつ繰り返されており、否定語Ｌ２５に設定されているキーワード番号Ｌ１２が通話音声に含まれていない、という条件が全て揃う効果音情報番号Ｌ２２の効果音ファイルが効果音情報取得部６により取得される。
【００１７】
例えば、効果音情報番号Ｌ２２が「１」の効果音情報Ｌ２１では、組合せａｎｄ条件Ｌ２３の「項目１」は「１」（キーワード番号Ｌ１２が「１」のキーワード）であり、「項目２」は「２，３」（キーワード番号Ｌ１２が「２」又は「３」のキーワード）であり、「項目３」は「４，５」（キーワード番号Ｌ１２が「４」又は「５」のキーワード）であり、「項目４」〜「項目ｎ」はブランク（空）である。そして、登場回数Ｌ２４が「１」（「項目１」〜「項目３」のそれぞれに設定されたキーワード番号Ｌ１２のキーワードの登場回数がそれぞれ１回）であり、否定語Ｌ２５は「１２，１６」（キーワード番号Ｌ１２が「１２」又は「１６」のキーワード）であり、タイマＬ２６が３（分）であり、音源Ｌ２７が「nami.wav」である。
【００１８】
また、例えば、効果音情報番号Ｌ２２が「２」の効果音情報Ｌ２１では、組合せａｎｄ条件Ｌ２３の「項目１」は「７，８，９」（キーワード番号Ｌ１２が「７」、「８」又は「９」のキーワード）であり、「項目２」は「５，６」（キーワード番号Ｌ１２が「５」又は「６」のキーワード）であり、「項目３」〜「項目ｎ」はブランク（空）である。そして、登場回数Ｌ２４が「２」（「項目１」及び「項目２」のそれぞれに設定されたキーワード番号Ｌ１２のキーワードの登場回数がそれぞれ２回）であり、否定語Ｌ２５は「１５」（キーワード番号Ｌ１２が「１５」のキーワード）であり、タイマＬ２６が４（分）であり、音源Ｌ２７が「Love.mid」である。なお、効果音テーブルＬ２は、ユーザによって更新可能な情報である。
【００１９】
図１に戻って説明する。効果音情報取得部６は、取得した効果音情報Ｌ２１から、この効果音情報Ｌ２１の音源Ｌ２７の効果音ファイル（「nami.wav」や「Love.mid」等）を音源８から取得し、この取得した効果音ファイルを音声コーデック部１０に出力する。
【００２０】
音源８は、メモリ部５に設けられている記憶領域であって、複数の効果音ファイルを格納する。音源８に格納される効果音ファイルは、音源Ｌ２７として効果音テーブルＬ２に設定されている。音声コーデック部１０は、効果音情報取得部６から出力される効果音ファイルを再生し、この再生によって得られる音声信号（デジタル信号）を、マイク２からプリアンプ部３を介して入力される通話音声信号（デジタル信号）に合成して合成音声信号（デジタル信号）を作成し、この合成音声信号を音声送信部１２に出力する。音声送信部１２は、携帯電話等の外部の端末と通信を行うためのインターフェイスを有しており、音声コーデック部１０から出力される合成音声信号を、この通信先の端末に送信する。
【００２１】
次に、図４を参照して、通信端末１の動作を説明する。まず、音声認識部４は、キーワードテーブルＬ１（図２を参照）に登録されているキーワードを、マイク２からプリアンプ部３を介して入力される通話音声信号から抽出する（ステップＳ１）。この場合、音声認識部４は、キーワードテーブルＬ１に設定されている音声特徴情報Ｌ１３に一致する信号部分がマイク２からプリアンプ部３を介して入力される通話音声信号に含まれているか否かを判定し、このような信号部分が通話音声信号に含まれている場合には、この音声特徴情報Ｌ１３に対応するキーワード番号Ｌ１２を効果音情報取得部６に出力する。ステップＳ１の後、効果音情報取得部６は、音声認識部４により抽出される複数のキーワード（音声認識部４から出力されるキーワード番号Ｌ１２）に基づいて、キーワードの登録回数と組合せとに応じた効果音ファイルを取得する。
【００２２】
まず、効果音情報取得部６は、組合せａｎｄ条件Ｌ２３の「項目１」〜「項目ｎ」のうち、抽出されたキーワードのキーワード番号Ｌ１２を含む項目のフラグを「ＯＮ」に設定するとともに、この「ＯＮ」に設定された項目に対し、タイマＬ２６に設定された所定時間（第１の時間）にタイマをセットする（ステップＳ２）。タイマにセットされた第１の時間が経過すると、タイマのセット時に「ＯＮ」に設定されたフラグは、この「ＯＮ」の設定が解除されて全て「ＯＦＦ」となる。ここで、ブランク（空）の項目のフラグは、「ＯＮ」の設定・解除はされず、「ＯＮ」に固定されているものとする。
【００２３】
なお、各効果音情報Ｌ２１の「項目１」〜「項目ｎ」のそれぞれには、登場回数Ｌ２４に設定されている数と同数のフラグが設けられているものとする。例えば、効果音情報番号Ｌ２２が「１」の効果音情報Ｌ２１の場合、登場回数Ｌ２４に設定されている数は「１」なので、「項目１」〜「項目ｎ」のそれぞれには、１個のフラグがそれぞれ設けられている。そして、「項目１」〜「項目ｎ」のうちブランク（空）の「項目４」〜「項目ｎ」のフラグ（１×（ｎ−３）個のフラグ）は全て「ＯＮ」に設定されている。このように、登場回数Ｌ２４に「ｍ」（ｍは自然数）が設定されていると、「項目１」〜「項目ｎ」のそれぞれには、ｍ個のフラグがそれぞれ設けられている。
【００２４】
なお、各効果音情報Ｌ２１の「項目１」〜「項目ｎ」のそれぞれが、一つのフラグと、登場回数（登場回数Ｌ２４に設定されている回数）をカウントするカウンタとを備えてもよい。このカウンタを用いれば、各項目に設定されているキーワード番号Ｌ１２の登場回数が、カウントできる。
【００２５】
次いで、効果音情報取得部６は、ステップＳ１において音声認識部４により抽出されたキーワードのキーワード番号Ｌ１２が否定語Ｌ２５に設定されている効果音情報Ｌ２１があるか否か判定し（ステップＳ３）、音声認識部４により抽出されたキーワードのキーワード番号Ｌ１２が否定語Ｌ２５に設定されている効果音情報Ｌ２１がある場合（ステップＳ３；Ｙｅｓ）、この効果音情報Ｌ２１の全フラグ（ブランク（空）の項目を除く）の「ＯＮ」を解除して「ＯＦＦ」に設定して（ステップＳ４）、ステップＳ５に移行する。この場合、効果音情報取得部６は、この効果音情報Ｌ２１に含まれる否定語Ｌ２５のフラグを「ＯＮ」に設定する。この「ＯＮ」の設定は、タイマ等を用いて所定時間（第２の時間）維持される。音声認識部４により抽出されたキーワードのキーワード番号Ｌ１２が否定語Ｌ２５に設定されている効果音情報Ｌ２１が無い場合（ステップＳ３；Ｎｏ）、効果音情報取得部６はステップＳ５に移行する。
【００２６】
ステップＳ３の「Ｎｏ」の分岐の後、又はステップＳ４の後、効果音情報取得部６は、ステップＳ２において第１の時間の経過した項目（タイマがアップした項目）があるか否かを判定し（ステップＳ５）、タイマがアップした項目がある場合（ステップＳ５；Ｙｅｓ）、この項目のフラグを「ＯＦＦ」に設定して（ステップＳ６）、ステップＳ７に移行する。ステップＳ５において、第１の時間の経過した項目がない場合（ステップＳ５；Ｎｏ）、効果音情報取得部６は、ステップＳ７に移行する。ステップＳ５の「Ｎｏ」の分岐の後、又はステップＳ６の後、効果音情報取得部６は、組合せａｎｄ条件Ｌ２３の「項目１」〜「項目ｎ」のフラグ（各項目は登場回数Ｌ２４に設定された数のフラグを有する）が全て「ＯＮ」となっている効果音情報Ｌ２１があるか否かを判定する（ステップＳ７）。
【００２７】
組合せａｎｄ条件Ｌ２３の「項目１」〜「項目ｎ」のフラグが全て「ＯＮ」となっている効果音情報Ｌ２１がない場合（ステップＳ７；Ｎｏ）、ステップＳ１の処理が実行され、組合せａｎｄ条件Ｌ２３の「項目１」〜「項目ｎ」のフラグが全て「ＯＮ」となっている効果音情報Ｌ２１がある場合（ステップＳ７；Ｙｅｓ）、効果音情報取得部６は、この効果音情報Ｌ２１における音源Ｌ２７の効果音ファイルを音源８から取得して音声コーデック部１０に出力する。そして、音声コーデック部１０は、効果音情報取得部６から出力された効果音ファイルの効果音を再生して、マイク２からプリアンプ部３を介して入力された通話音声に合成する（ステップＳ８）。
【００２８】
次に、実施形態の適用事例を二つ説明する。第１の事例として、通話内容が「先週の土曜日に湘南に行ったんだ。」（音声１）、「サーフィンしに？」（音声２）、「そう、いい波だったよ。」（音声３）という場合を考える。音声１に含まれる「湘南」という言葉（キーワード番号Ｌ１２が「４」のキーワード）と、音声２に含まれる「サーフィン」という言葉（キーワード番号Ｌ１２が「３」のキーワード）と、音声３に含まれる「波」という言葉（キーワード番号Ｌ１２が「１」のキーワード）とがそれぞれ一回ずつ登場するので（以上、図２参照）、この通話内容から、効果音情報番号Ｌ２２が「１」の効果音情報Ｌ２１の音源Ｌ２７「nami.wav」が、音声コーデック部１０により再生される（図３参照）。
【００２９】
次に、第２の事例として、通話内容が「先週の金曜日は湘南に行ったんだ。」（音声４）、「仕事で？」（音声５）、「海岸付近に波が届かないという苦情が多いからね。」（音声６）、「ああ、基地局の電波の調整ね？」（音声７）という場合を考える。音声４に含まれる「湘南」という言葉（キーワード番号Ｌ１２が「４」のキーワード）と、音声６に含まれる「波」という言葉（キーワード番号Ｌ１２が「１」のキーワード）とがそれぞれ一回ずつ登場し、効果音情報番号Ｌ２２が「１」の効果音情報Ｌ２１の「項目２」及び「項目３」のフラグが「ＯＮ」に設定される。しかし、この後の音声７に「電波」という言葉（キーワード番号Ｌ１２が「１２」のキーワード）が登場する。効果音情報番号Ｌ２２が「１」の効果音情報Ｌ２１の否定語Ｌ２５には「１２，１６」（キーワード番号Ｌ１２が「１２」又は「１６」のキーワード）が設定されている。このため、効果音情報番号Ｌ２２が「１」の効果音情報Ｌ２１のフラグ（「項目２」及び「項目３」のフラグ）の「ＯＮ」は解除されて「ＯＦＦ」となるので、この効果音情報Ｌ２１の音源Ｌ２７の効果音ファイル「nami.wav」は再生されない。
【００３０】
以上説明したように、実施形態に係る通信端末１は、音声認識部４、効果音情報取得部６及び音声コーデック部１０を備える。音声認識部４は、予め登録されたキーワードを通話音声から抽出する。効果音情報取得部６は、音声認識部４により抽出される複数のキーワードに基づいて、キーワードの登場回数と組合せとに応じた効果音を取得する。音声コーデック部１０は、効果音情報取得部６により取得される効果音を通話音声に合成する。この通信端末１によれば、ユーザがキー操作を行うことなく、通話音声から抽出されるキーワードに応じて効果音が再生される。また、再生される効果音は、キーワードの登場回数と組合せとに応じて効果音情報取得部６により取得されるので、通話内容が比較的正確に反映された効果音の再生が可能となる。
【００３１】
更に、効果音情報取得部６は、所定の第１の時間内におけるキーワードの登場回数と組合せとに応じた効果音を取得する。このように、第１の時間内におけるキーワードの登場回数と組合せとに応じた効果音が取得される。従って、一定時間内における通話内容に基づいた効果音が取得されるので、その時間内に主に話題となった内容に好適な効果音が再生される。
【００３２】
更に、効果音情報取得部６は、第１の時間内におけるキーワードの登場回数（登場回数Ｌ２４）と組合せ（組合せａｎｄ条件Ｌ２３）とに関連付けられた複数の効果音（音源Ｌ２７）を含む効果音テーブルＬ２を用いて効果音（効果音ファイル）を取得する。このように、効果音テーブルＬ２を用いて効果音ファイルが取得されるので、効果音の取得が容易となる。また、効果音テーブルＬ２の内容を変更することにより、ユーザの趣向がより反映された効果音テーブルＬ２が利用できる。
【００３３】
更に、効果音情報取得部６は、効果音毎に予め設定された所定キーワード（否定語Ｌ２５）の何れかが音声認識部４により通話音声から抽出されると、所定の第２の時間内に、この取得した所定キーワード（否定語Ｌ２５）の設定されている効果音（効果音ファイル）を取得しない。このように、効果音毎に予め設定された否定語Ｌ２５の何れかが音声認識部４により抽出されると、所定の第２の時間内に、この取得した否定語Ｌ２５の設定されている効果音情報Ｌ２１の効果音ファイルは取得されないので、否定語Ｌ２５を含むか否かによって効果音の絞り込みが可能となる。
【図面の簡単な説明】
【００３４】
【図１】実施形態に係る携帯端末の構成を説明するための図である。
【図２】実施形態に係るキーワード情報の内容を示すリストである。
【図３】実施形態に係る効果音情報の内容を示すテーブルである。
【図４】実施形態に係る携帯端末の動作を説明するためのフローチャートである。
【符号の説明】
【００３５】
Ｌ１…キーワードテーブル、Ｌ１２…キーワード番号、Ｌ１３…音声特徴情報、Ｌ１４…キーワード、Ｌ２…効果音テーブル、Ｌ２１…効果音情報、Ｌ２２…効果音情報番号、Ｌ２３…組合せａｎｄ条件、Ｌ２４…登場回数、Ｌ２５…否定語、Ｌ２６…タイマ、Ｌ２７…音源、１…通信端末、１０…音声コーデック部、１２…音声送信部、２…マイク、３…プリアンプ部、５…メモリ部、４…音声認識部、６…効果音情報取得部、８…音源。
【図１】
2008263378.tif 000003
【図２】
2008263378.tif 000004
【図３】
2008263378.tif 000005
【図４】
2008263378.tif 000006